(57)【要約】【課題】  ダイレクトメールに使用された封筒をクリアファイルに再利用することができ、開封率の向上させることができるダイレクトメール用封筒およびその封筒の製造方法を提供する。【解決手段】  表裏一対のシート２,３を有し、表裏一対のシート２,３において、その左側端縁同士を連結する左側端部10aと、その右側端縁同士を連結する右側端部10bと、その下端縁同士を連結する下端部10dと、その上端縁間に開口部10cとを有する封筒１０であって、開口部10cの内方に上下分離線21a,21bが形成されており、上下分離線21a,21bと下端部10dとの間において、上下分離線21a,21bと下端部10dを結ぶように側方分離線22a,22bが形成されており、上下分離線21a、21bと側方分離線22a,22bよりも内側の表面に印刷がされていることを特徴とする。【選択図】  図１
2010163212.tif 000002
【特許請求の範囲】
【請求項１】
表裏一対のシート2，3を有し、該表裏一対のシートにおいて、その左側端縁同士を連結する左側端部10aと、その右側端縁同士を連結する右側端部10bと、その下端縁同士を連結する下端部と、その上端縁間に開口部とを有する封筒であって、
前記開口部の内方に上下分離線21a、21bが形成されており、
該上下分離線と前記下端部との間において、該上下分離線と前記下端部を結ぶように側方分離線22a、22bが形成されており、上下分離線21a、21bと側方分離線22a,22bよりも内側の表面に印刷がされていることを特徴とする、
シートの上端縁を上下分離線21a、21bにおいて他の部分から分離する場合に、開封することができ、次いで右側端部10bを側方分離線22a,22bおいて封筒の他の部分から分離する場合に、下端部と左側端部だけで表裏一対のシート２，３が連結されたファイル部１１と、その他の開封部１２とに分離することができ、ファイル部１１は、その上端と右端に連続する開口部を有する袋となり、市販されている２辺が開口部となったファイル部１１表面に印刷がされている書類ホルダと実質同様の形状となる、ダイレクトメール用封筒。
【請求項２】
前記上下分離線と前記側方分離線が、前記表裏一対のシートにおいて、ミシン目によって形成されたものである
ことを特徴とする請求項１記載のダイレクトメール用封筒。
【請求項３】
前記上下分離線と前記側方分離線が、前記表裏一対のシートにおいて、該シートの表面から凹んだ溝によって形成されたものである
ことを特徴とする請求項１記載のダイレクトメール用封筒。
【請求項４】
前記表裏一対のシートの素材が、光透過性を有する樹脂材料であって、シート２，３の表面に印刷をして、内部が見えないようになっていることを特徴とする請求項１記載のダイレクトメール用封筒。
【請求項５】
請求項１記載のシートの上端縁を上下分離線21a、21bにおいて他の部分から分離する場合に、開封することができ、次いで右側端部10bを側方分離線22a,22bおいて封筒の他の部分から分離する場合に、下端部と左側端部だけで表裏一対のシート２，３が連結されたファイル部１１と、その他の開封部１２とに分離することができ、ファイル部１１は、その上端と右端に連続する開口部を有する袋となり、市販されている２辺が開口部となったファイル部１１表面に印刷がされている書類ホルダと実質同様の形状となる、ダイレクトメール用封筒を製造する製造方法であって、
前記封筒を展開した形状であって、互いに対向する一対の側端縁を有し表面に印刷がされている展開シート１を形成し、
前記展開シート１において、該展開シートの上端縁の内方に前記上下分離線21ａ、21ｂを形成し、
前記展開シート１において、その下端縁と前記上下分離線との間において、前記上下分離線と該展開シートの下端縁を結ぶように一対の前記側方分離線22a、22bを形成し、
前記展開シートを、前記一対の側端縁同士が重なり合うように折り曲げて、該一対の側端縁同士、および重なり合った下端縁同士を連結する
ことを特徴とするダイレクトメール用封筒の製造方法。
【請求項６】
前記展開シートが、打ち抜き加工によって一の原シートから打ち抜かれて形成されたものであり、
前記原シートから前記展開シートを打ち抜くと同時に、該展開シートに、ミシン目によって前記上下分離線および前記側方分離線を形成する
ことを特徴とする請求項５記載のダイレクトメール用封筒の製造方法。
【請求項７】
前記ファイル部１１に想到する表面に印刷がされている展開シートが、打ち抜き加工によって一の原シートから打ち抜かれて形成されたものであり、
前記原シートから前記展開シートを打ち抜くと同時に、該展開シートに、該シートの表面から凹んだ溝によって前記上下分離線および前記側方分離線を形成する
ことを特徴とする請求項５記載のダイレクトメール用封筒の製造方法。
【発明の詳細な説明】
【技術分野】
【０００１】
本発明は、ダイレクトメール用封筒およびその封筒の製造方法に関する。
【背景技術】
【０００２】
一般的な封筒は、袋状に形成された本体の一端に開口部が形成されており、この開口部から内部に書類等を入れて封をすれば、書類等を郵送することができる。
郵送等によって送付された封筒は、その一端が鋏等によって切り取られて開封され、内部の書類が取り出されるが、開封された使用済み封筒は、そのまま廃棄されるか、または、書類等の保管に使用されている。
【０００３】
しかるに、使用済み封筒を書類等の保管に使用する場合、開封された一端から書類等の出し入れを行うことになるが、開封された一端は開口部の開口面積が小さいため、封筒内部への書類の収容取り出しがやりにくいという問題があった。
使用済み封筒を、袋状に形成された本体の２辺が開口した書類ホルダ（例えば、特許文献１）のような形状に封筒を加工すれば、書類等の収容取り出しは容易になるが、封筒の加工の手間がかかり面倒である。
【０００４】
また、商品等の広告宣伝のためにダイレクトメールを送付することがあるが、かかるダイレクトメールは、開封すれば封筒だけでなく封筒内に収容されていた書類も廃棄物となり嵩張るため、開封されずにそのまま廃棄されることも多く、ダイレクトメールとして期待される宣伝広告効果が十分に得られないという問題があった。ダイレクトメールの開封率を高くすることできれば、ダイレクトメールによる宣伝広告効果を高くすることができる。
【先行技術文献】
【特許文献】
【０００５】
【特許文献１】特開２００３−２５７７９号
【発明の概要】
【発明が解決しようとする課題】
【０００６】
本発明は上記事情に鑑み、書類の郵送等に使用された封筒を効果的に再利用することができ、廃棄物の減量化が期待でき、しかも、ダイレクトメール等の開封率の向上させることができ、ダイレクトメールによる宣伝広告効果を高くすることができる封筒およびその封筒の製造方法を提供することを目的とする。
【課題を解決するための手段】
【０００７】
第１発明の封筒は、シートの上端縁を上下分離線21a、21bにおいて他の部分から分離する場合に、開封することができ、次いで右側端部10bを側方分離線22a,22bおいて封筒の他の部分から分離する場合に、下端部と左側端部だけで表裏一対のシート２，３が連結されたファイル部１１と、その他の開封部１２とに分離することができ、ファイル部１１は、その上端と右端に連続する開口部を有する袋となり、市販されている２辺が開口部となったファイル部１１表面に印刷がされている書類ホルダと実質同様の形状となる、ダイレクトメール用封筒であって、表裏一対のシート2，3を有し、該表裏一対のシートにおいて、その左側端縁同士を連結する左側端部10aと、その右側端縁同士を連結する右側端部10bと、その下端縁同士を連結する下端部と、その上端縁間に開口部とを有する封筒であって、
前記開口部の内方に上下分離線21a、21bが形成されており、
該上下分離線と前記下端部との間において、該上下分離線と前記下端部を結ぶように側方分離線22a、22bが形成されており、上下分離線21a、21bと側方分離線22a,22bよりも内側の表面に印刷がされていることを特徴とする。
第２発明の封筒は、第１発明において、前記上下分離線と前記側方分離線が、前記表裏一対のシートにおいて、ミシン目によって形成されたものであることを特徴とする。
第３発明の封筒は、第１発明において、前記上下分離線と前記側方分離線が、前記表裏一対のシートにおいて、該シートの表面から凹んだ溝によって形成されたものであることを特徴とする。
第４発明の封筒は、第１、２または３発明において、前記表裏一対のシートの素材が、光透過性を有する樹脂材料であって、シート２，３の表面に印刷をして、内部が見えないようになっていることを特徴とする。
第５発明の封筒の製造方法は、請求項１記載の封筒を製造する製造方法であって、前記封筒を展開した形状であって、互いに対向する一対の側端縁を有し表面に印刷がされている展開シート１を形成し、前記展開シートにおいて、該展開シートの上端縁の内方に前記上下分離線21ａ、21ｂを形成し、前記展開シートにおいて、その下端縁と前記上下分離線との間において、前記上下分離線と該展開シートの下端縁を結ぶように一対の前記側方分離線22a、22bを形成し、前記展開シートを、前記一対の側端縁同士が重なり合うように折り曲げて、該一対の側端縁同士、および重なり合った下端縁同士を連結することを特徴とする。
第６発明の封筒は、第５発明において、前記展開シートが、打ち抜き加工によって一の原シートから打ち抜かれて形成されたものであり、前記原シートから前記展開シートを打ち抜くと同時に、該展開シートに、ミシン目によって前記上下分離線および前記側方分離線を形成することを特徴とする。
第７発明の封筒は、第５発明において、前記前記ファイル部１１に想到する表面に印刷がされている展開シートが、打ち抜き加工によって一の原シートから打ち抜かれて形成されたものであり、前記原シートから前記展開シートを打ち抜くと同時に、該展開シートに、該シートの表面から凹んだ溝によって前記上下分離線および前記側方分離線を形成することを特徴とする。
【発明の効果】
【０００８】
第１発明によれば、一対のシート間に書類等を入れて開口部を閉じれば、書類等を封筒内部に密封することができるから、そのまま封筒を郵送に使用することができる。そして、上下分離線において、開口部、つまりシートの上端縁を他の部分から分離すれば、封筒を開封することができる。しかも、側方分離線おいて右側端部を封筒の他の部分から分離すれば、封筒が、下端部と左側端部だけで表裏一対のシートが連結された形状となり、市販されている２辺が開口部となったファイル部１１表面に印刷がされている書類ホルダ（以下、単に書類ホルダという）と実質同様の形状となる。よって、郵送されてきた封筒から、上方部分および右方部分を分離すれば、封筒を書類ホルダとして使用することが可能となるから、封筒の再利用が容易となる。そして、廃棄される封筒自体を少なくすることができるから、廃棄物の減量化をすることができる。また、開封した封筒を書類ホルダとして使用できるから、本願の封筒を使用してダイレクトメールを送付すれば、ダイレクトメールの開封率を高くすることができる。しかも、開封した後、ダイレクトメールの書類をいれたままの状態でおいておく場合もあり、このような場合には、ダイレクトメールが廃棄されるまでの期間が長くなるから、ダイレクトメールが人の目に触れる可能性が高くなり、ダイレクトメールによる宣伝広告効果を高くすることができる。
第２発明によれば、鋏などを使わなくても簡単にシートを破ることができるから、簡単に封筒を開封でき、かつ、封筒を書類ホルダの形状に簡単に加工できるから、封筒の再利用が容易になるし、ダイレクトメールの開封率をさらに高くすることができる。
第３発明によれば、鋏などを使わなくても簡単にシートを破ることができるから、簡単に封筒を開封でき、かつ、封筒を書類ホルダの形状に簡単に加工できるから、封筒の再利用が容易になるし、ダイレクトメールの開封率をさらに高くすることができる。
第４発明によれば、書類ホルダとして使用するときに、透明な部分は内容物の確認が容易になり、印刷がある部分は内部が見えないようになっている。
第５発明によれば、一枚の表面に印刷がされている展開シートに各分離線を形成してから折り曲げ、重なり合う端縁を連結するだけで、再利用が容易な請求項１記載の封筒を形成することができるから、封筒の加工工数を少なくすることができ、封筒の製造コストを低減することができる。
第６発明によれば、展開シートの形成と、各分離線の形成を同時に行うことができるから、加工工数を少なくすることができ、封筒の製造コストを低減することができる。
第７発明によれば、展開シートの形成と、各分離線の形成を同時に行うことができるから、加工工数を少なくすることができ、封筒の製造コストを低減することができる。
【図面の簡単な説明】
【０００９】
【図１】（Ａ）は本実施形態の封筒１０の概略平面図であり、（Ｂ）は開封部１２をファイル部１１から切離した状態の説明図である。
【図２】（Ａ）は展開シート１の概略平面図であり、（Ｂ）は展開シート１を折り曲げた状態の説明図であり、（Ｃ）は
【発明を実施するための最良の形態】
【００１０】
つぎに、本発明の実施形態を図面に基づき説明する。
図１は（Ａ）は本実施形態の封筒１０の概略平面図であり、（Ｂ）は開封部１２をファイル部１１から切り離した状態の説明図である。同図に示すように、本実施形態の封筒１０は、一般的な定形封筒と実質同様の構造を有する袋状の封筒である。具体的には、表裏一対のシート２，３（図２（Ａ）参照）を重ねた状態において、一対のシート２，３の左側端縁同士が連結された左側端部10aと、一対のシート２，３の右側端縁同士が連結された右側端部10bと、一対のシート２，３の下端縁同士が連結された下端部10dとを有する封筒である。そして、封筒１０の一方のシート（例えばシート２）の上端には、フラップ10rが設けられている。
このため、本実施形態の封筒１０の内部に、一対のシート２，３の上端縁10c間に形成される開口部から書類等の物品を入れて、フラップ10rを折り曲げて他方のシート３に貼付ければ、封筒１０の内部に物品を密封することができるから、そのまま封筒１０を郵送等に使用することができる。
【００１１】
図１に示すように、本実施形態の封筒１０において、表裏一対のシート２，３の上端縁10cの内方には、一対の上下分離線21a,21bが形成されている。この上下分離線21a,21bは、ミシン目によって、各シート２，３の上端縁10cと平行に形成されている。しかも、上下分離線21aとシート２の上端縁10cとの間の距離と上下分離線21bとシート３の上端縁10cとの間の距離が同じになるように形成されている。言い換えれば、上下分離線21a,21b同士が重なり合うように形成されている。
また、表裏一対のシート２，３の右側端部10bの内方には、一対の側方分離線22a,22bが形成されている。この側方分離線22a,22bは、ミシン目によって、各シート２，３における前記上下分離線21a,21bと前記下端部10dとの間を結ぶように、かつ右側端部10bと平行に形成されている。しかも、側方分離線22aとシート２の右側端部10bとの間の距離と側方分離線22bとシート３の右側端部10bとの間の距離が同じになるように形成されている。言い換えれば、側方分離線22a,22b同士が重なり合うように形成されている。
【００１２】
このため、本実施形態の封筒１０が密封されていても、前記一対の上下分離線21a,21bに沿ってシート２，３を破れば、言い換えれば、一対の上下分離線21a,21bによって封筒１０の上端縁10cをその他の部分から切り離せば、封筒１０を開封することができる。
そして、封筒１０の上端縁10cを切り離した後、一対の側方分離線22a,22bにおいて封筒１０から右側端部10bを切り離せば、封筒１０を、下端部10dと左側端部10aだけで表裏一対のシート２，３が連結されたファイル部１１と、その他の開封部１２とに分離することができる（図１（Ｂ））。すると、ファイル部１１は、その上端と右端に連続する開口部を有する袋となり、市販されている２辺が開口部となった書類ホルダ（以下、単に書類ホルダという）と実質同様の形状となる。
【００１３】
よって、本実施形態の封筒１０を使用すれば、郵送されてきた封筒１０から開封部１２を分離することによって、ファイル部１１を封筒１０とともに送られてきた書類のファイリングにそのまま使用することができるし、ファイル部１１を別な書類などをファイリングする書類ホルダとして使用することも可能となるから、封筒１０の再利用が容易となる。
しかも、一度郵送等に使用された封筒１０を書類ホルダとして再利用することができるから、廃棄される封筒自体を少なくすることができ、廃棄物の減量化をすることができる。
【００１４】
そして、本実施形態の封筒１０は、開封部１２を切り離せば残ったファイル部１１を書類ホルダとして使用できるから、本願の封筒１０を使用してダイレクトメールを送付すれば、ファイル部１１を書類ホルダとして使用することを目的として、封筒１０から開封部１２を切り離すこと、つまり、封筒１０の開封を期待することができる。すると、これまでは開封されずに廃棄されていたダイレクトメールであっても開封される可能性が高くなるから、ダイレクトメールによる宣伝広告効果を高くすることができる。
しかも、開封した後、ダイレクトメールの書類をいれたままの状態でファイル部１１をおいておく場合もあり、このような場合には、ダイレクトメールが廃棄されるまでの期間が長くなるから、ダイレクトメールが人の目に触れる可能性が高くなり、ダイレクトメールによる宣伝広告効果を高くすることができる。
【００１５】
なお、ファイル部１１にダイレクトメールを送付した会社の名称や商品名等を印刷しておけば、ダイレクトメールを受け取った人がファイル部１１を書類ホルダとして使用することによって、会社の宣伝広告効果も期待することができる。
【００１６】
封筒１０のシート２，３の素材は特に限定されず、どのような素材を使用しても良いが、とくに、ポリプロピレン（ＰＰ）やポリエチレンテレフタレート（ＰＥＴ）、プラスチック等の光透過性を有する樹脂材料とすれば、ファイル部１１を、内部が透けて見える書類ホルダ、いわゆるクリアファイルとして使用することができる。すると、ファイル部１１を使用したときに内容物の確認が容易になるから、再利用する確率を高くすることができる。
なお、封筒１０のシート２，３の素材を、上記のごとき光透過性を有する樹脂材料とした場合であっても、シート２，３の表面に印刷をすれば、内部が見えないようにすることも可能である。
【００１７】
また、上下分離線21a,21bおよび側方分離線22a,22b（以下、両方を合わせて分離部２０という）がミシン目によって形成されているから、各シート２，３を、分離部２０に沿って、鋏などを使わなくても簡単に破ることができる。よって、封筒１０の開封が容易になるし、また、封筒１０から書類ホルダの形状のファイル部１１を簡単に形成することができるから、封筒１０の再利用が容易になるし、本実施形態の封筒１０を利用したダイレクトメールの開封率をさらに高くすることができる。
【００１８】
なお、分離部２０は、ミシン目によって形成されていなくてもよく、表裏一対のシート２，３において、各シート２，３の表面から凹んだ溝、いわゆるハーフカットによって形成してもよい。つまり、各シート２，３における分離部２０の部分が、他の部分よりもその厚さが薄くなるように加工して、分離部２０を形成してもよい。この場合でも、各シート２，３を、分離部２０に沿って、鋏などを使わなくても簡単に破ることができるから、封筒１０の再利用が容易になるし、本実施形態の封筒１０を利用したダイレクトメールの開封率をさらに高くすることができる。
【００１９】
さらになお、上下分離線21a,21bは各シート２，３の上端縁10cと平行でなくてもよく、上端縁10cに対して傾いていてもよいし、上下分離線21aとシート２の上端縁10cとの間の距離と、上下分離線21bとシート３の上端縁10cとの間の距離は同じでなくてもよい。また、側方分離線22a,22bは、右側端部10bと平行でなくてもよいし、側方分離線22aとシート２の右側端部10bとの間の距離と、側方分離線22bとシート３の右側端部10bとの間の距離は同じでなくてもよい。
【００２０】
つぎに、本実施形態の封筒１０の製造方法を説明する。
図２は（Ａ）は展開シート１の概略平面図であり、（Ｂ）は展開シート１を折り曲げた状態の説明図であり、（Ｃ）は展開シート１の下端線および一対の側端縁１ｂ，１ｃと連結した状態の説明図である。
【００２１】
図２（Ａ）に示すように、まず、本実施形態の封筒１０を展開した状態の展開シート１を形成する。この展開シート１は、一対の側端縁１ｂ,１ｂと平行な中心線１ａに対して略線対称なシート２,３と、シート２の上端縁１ｃに設けられたフラップ10rを備えている。なお、この展開シート１を形成する方法は特に限定されないが、一枚の原シートから打ち抜き加工によって打ち抜いて形成すれば、簡単かつ短時間で展開シート１を形成することができる。この場合、打ち抜き加工を行う方法は、原シートを上下の型の間に挟んで打ち抜く方法や、ロール表面に刃を有するロータリカッターによって原シートから展開シート１を切り抜く方法などがあるが、とくに限定はない。
【００２２】
ついで、展開シート１のシート２，３において、その上端縁１ｃの内方かつ上端縁１ｃと平行に、ミシン目によって上下分離線21a,21bをそれぞれ形成し、各上下分離線21a,21bと各シート２，３の下端縁１ｄとの間に、一対の側端縁１ｂ,１ｂと平行にミシン目によって一対の側方分離線22a,22bをそれぞれ形成する。
このとき、シート２における上端縁１ｃと上下分離線21aとの距離と、シート３における上端縁１ｃと上下分離線21bとの距離が同じになるように、言い換えれば、一直線に並ぶように、上下分離線21a,21bを形成する。
また、シート２における側端縁１ｂと側方分離線22aとの距離と、シート３における側端縁１ｂと側方分離線22bとの距離が同じになるように、側方分離線22a,22bを形成する。
【００２３】
図２（Ｂ）に示すように、分離線２０が形成された展開シート１を中心線１ａで折り曲げる。すると、展開シート１は、中心線１ａを挟んで線対称なシート２,３を有しているかから、側端縁１ｂ同士、上端縁１ｃ同士、および下端縁１ｄ同士が重なり合った状態でシート２,３が重なり合うことになる。しかも、上下分離線21aと上下分離線21b、および、側方分離線22aと側方分離線22bも、それぞれ重なり合うことになる。
【００２４】
最後に、シート２,３が重なり合った状態で、シート２,３の側端縁１ｂ同士、および下端縁１ｄ同士を、例えば、接着剤による接着や熱圧着などによって連結すれば、上端縁１ｃ同士の間に開口部が形成された本実施形態の封筒１０を形成することができる（図２（Ｃ））。
【００２５】
よって、一枚の展開シート１を形成し、その展開シート１に分離線２０を形成してから折り曲げ、重なり合った状態のシート２,３における重なり合う側端縁１ｂ同士、および重なり合う下端縁１ｄ同士を連結するだけで、再利用が容易な本実施形態の封筒１０を形成することができるから、封筒１０の加工工数を少なくすることができ、封筒１０の製造コストを低減することができる。
展開シート１の素材は特に限定されず、どのような素材を使用しても良いが、ポリプロピレン（ＰＰ）やポリエチレンテレフタレート（ＰＥＴ）、プラスチック等の樹脂材料を使用した場合には、側端縁１ｂ同士、および重なり合う下端縁１ｄ同士を、熱圧着によって連結することができる。すると、展開シート１を折り曲げる装置に、シート２，３が重なると同時に各端縁１ｂ,１ｄを挟んで加熱する手段を設けておけば、展開シート１を折り曲げると同時に側端縁１ｂ同士および下端縁１ｄ同士の連結を行うこともできるから、本実施形態の封筒１０の加工工数を少なくすることができ、封筒１０の製造コストを低減することができる。
なお、シート２,３の側端縁１ｂ同士、および下端縁１ｄ同士を連結する方法は、接着や熱圧着に限られず、特に限定はない。
【００２６】
また、分離線２０がミシン目によって形成されるのであれば、展開シート１を原シートからプレスによって打ち抜いて形成する場合、原シートを打ち抜くと同時に展開シート１に分離線２０を形成することも可能である。すると、展開シート１を形成してから分離線２０を形成する場合に比べて加工工数を少なくすることができ、封筒１０の製造コストも低減することができる。
【００２７】
なお、分離線２０を各シート２，３の表面から凹んだ溝によって形成する場合も、展開シート１を原シートからプレスによって打ち抜いて形成する場合には、原シートを打ち抜くと同時に展開シート１に分離線２０を形成することが可能である。
展開シート１の下端線および一対の側端縁１ｂ，１ｃと連結した状態の説明図である。
【符号の説明】
【００２８】
１ 展開シート
１ｂ 側端縁
１ｃ 上端縁
１ｄ 下端縁
２ シート
３ シート
１０ 封筒
１０ａ 左側端部
１０ｂ 右側端部
１０ｃ 上端縁
１０ｄ 下端部
２１ａ 上下分離線
２１ｂ 上下分離線
２２ａ 側方分離線
２２ｂ 側方分離線
【図１】
2010163212.tif 000003
【図２】
2010163212.tif 000004